(57)【要約】【課題】効率よく電子機器を冷却できる電子機器冷却装置を提供する。【解決手段】電子機器２を収納するキャビネット１０と、キャビネット１０の開口部１２を閉塞するドア２０と、電子機器２を載置する棚板１６と、棚板１６および／またはキャビネット１０の内壁部に設けられた冷媒の蒸発器３６と、キャビネット１０内にヘリウムを充填可能なヘリウム充填手段４０とを備え、キャビネット内２０に充填したヘリウムを攪拌させて、電子機器２が発する熱を蒸発器３６で冷却する。【選択図】図２
2009135262.tif 000002
【特許請求の範囲】
【請求項１】
電子機器を収納するキャビネットと、前記キャビネットの開口を閉塞するドアと、前記電子機器を載置する棚板と、前記棚板および／または前記キャビネットの内壁部に設けられた冷媒の蒸発器と、前記キャビネット内に空気よりも熱伝導率の高い気体または液体を充填可能な充填手段とを備え、
前記キャビネット内に充填した気体または液体を攪拌させて、前記電子機器が発する熱を前記蒸発器で冷却することを特徴とする電子機器冷却装置。
【請求項２】
前記棚板の下面に前記蒸発器を取り付けたことを特徴とする請求項１に記載の電子機器冷却装置。
【請求項３】
前記気体または液体を攪拌するファンを備えたことを特徴とする請求項１または２に記載の電子機器冷却装置。
【請求項４】
前記電子機器が内蔵したファンによって前記気体または液体を攪拌すること、
を特徴とする請求項１乃至３のいずれかに記載の電子機器冷却装置。
【請求項５】
前記キャビネットの壁部に断熱材を配置したこと、
を特徴とする請求項１乃至４のいずれかに記載の電子機器冷却装置。
【発明の詳細な説明】
【技術分野】
【０００１】
本発明は、キャビネットに収容された電子機器を冷却する電子機器冷却装置に関する。
【背景技術】
【０００２】
一般に、電子機器が収容されるためのキャビネットの空気出口側に空気−水熱交換器を配置し、キャビネットに収容された電子機器に付設したファンで送風される空気を上記空気−水熱交換器で冷却した後、この冷却した空気を室内に放出する電子機器冷却システムが知られている（例えば、特許文献１参照）。この種の電子機器冷却システムはコンピュータルームに設置され、コンピュータルームに設置されるサーバやネットワーク機器を冷却する。
【特許文献１】米国特許出願公開第２００６／０２３２９４５号明細書
【発明の開示】
【発明が解決しようとする課題】
【０００３】
しかしながら、従来の電子機器冷却システムでは、電子機器を冷却する際、ファンの駆動によって電子機器に流入する気体を利用して電子機器を冷却するのみであり、電子機器の冷却効率に改善の余地があった。
本発明は、上述した事情に鑑みてなされたものであり、効率よく電子機器を冷却できる電子機器冷却装置を提供することを目的とする。
【課題を解決するための手段】
【０００４】
上記目的を達成するために、本発明は、電子機器冷却装置に置いて、電子機器を収納するキャビネットと、前記キャビネットの開口を閉塞するドアと、前記電子機器を載置する棚板と、前記棚板および／または前記キャビネットの内壁部に設けられた冷媒の蒸発器と、前記キャビネット内に空気よりも熱伝導率の高い気体または液体を充填可能な充填手段とを備え、前記キャビネット内に充填した気体または液体を攪拌させて、前記電子機器が発する熱を前記蒸発器で冷却することを特徴とする。
この構成によれば、キャビネット内に空気よりも熱伝導率の高い気体又は液体を充填した状態で、この気体又は液体によって電子機器が発する熱を吸収するため、電子機器が発する熱を効率よく吸収することができる。さらに、この電子機器が発する熱を吸収した気体又は液体を蒸発器によって冷却した後、この冷却によって冷めた気体又は液体によって電子機器を再び冷却するため、効率のよい電子機器の冷却を実現することができる。
【０００５】
ここで、上記構成の電子機器冷却装置において、前記棚板の下面に前記蒸発器を取り付けるようにしてもよい。
この構成によれば、電子機器を載置する棚板に蒸発器を設けることにより、電子機器と蒸発器との距離が縮まり、電子機器を蒸発器によって効率的に冷却することができる。
【０００６】
また、上記構成の電子機器冷却装置において、前記気体または液体を攪拌するファンを備えるようにしてもよい。
この構成によれば、ファンを作動させることにより、キャビネット内で気体又は液体を効率よく攪拌することができる。
【０００７】
また、上記構成の電子機器冷却装置において、前記電子機器が内蔵したファンによって前記気体または液体を攪拌するようにしてもよい。
この構成によれば、電子機器が内蔵したファンによって、キャビネット内で気体又は液体を効率よく攪拌することができる。
【０００８】
また、上記構成の電子機器冷却装置において、前記キャビネットの壁部に断熱材を配置するようにしてもよい。
この構成によれば、断熱材によりキャビネット内の温度が、キャビネットの外部の温度によって上昇することが妨げられ、蒸発器の省力化を図ることができ、コストの削減を実現することができる。
【発明の効果】
【０００９】
本発明によれば、熱伝導率のよい気体又は液体を媒介として、電子機器と蒸発器との間で熱交換を行うことができるため、電子機器の冷却の効率化を図ることができる。
【発明を実施するための最良の形態】
【００１０】
以下、図面を参照して本発明の実施の形態について説明する。
＜第１実施形態＞
図１は、本実施形態に係る電子機器冷却装置１の斜視図であり、図２は、電子機器冷却装置１の断面図である。この電子機器冷却装置１は、コンピュータルーム等に１台又は複数台設置され、装置毎にサーバやネットワーク機器等の電子機器２を収納し、収納した電子機器２を冷却する装置である。
【００１１】
電子機器冷却装置１は、図１及び図２に示すように、冷却対象の電子機器２を収納するための箱形のキャビネット１０を備えている。このキャビネット１０は、収納される電子機器２の規格に合致した大きさを有しており、上面を形成する上壁部１１ａ、正面視左側面を形成する左壁部１１ｂ（図１）、右側面を形成する右壁部１１ｃ（図１）、裏面を形成する裏壁部１１ｄ（図２）及び下面を形成する下壁部１１ｅ（図２）を備えている。そして、キャビネット１０の前面には開口部１２が形成されると共に、キャビネット１０の各壁部で囲まれた空間には、電子機器２を収納するための内部空間１３（内壁部）が形成されている。
この内部空間１３には、下壁部１１ｅの上面に設けられた床板１５と、複数（本実施形態では２つ）の棚板１６ａ，１６ｂ（以下、棚板１６ａと棚板１６ｂとを特に区別しない場合は、符号１６を付す）とが上下方向に間隔をあけて設けられている。この棚板１６ａ，１６ｂは、冷却対象たる電子機器２が載置されるものであり、左壁部１１ｂ及び右壁部１１ｃに形成された支持部（不図示）によって支持されている。この支持部は、左壁部１１ｂ及び右壁部１１ｃにおいて上下方向に所定間隔毎に複数設けられており、棚板１６ａ，１６ｂを所望の位置の支持部に配置したり、複数の棚板を内部空間１３内に配置したりすることができる。
【００１２】
キャビネット１０の前面には、図１に示すように、ドア２０が、ドア軸（不図示）を介して開閉自在に設けられている。このドア２０は、閉状態時にキャビネット１０の開口部１２を閉塞し、キャビネット１０の内部空間１３を完全に密閉し、内部空間１３の気密性を確保する構成となっている。具体的には、図１に示すように、ドア２０の裏面２１（ドア２０の閉状態時にキャビネット１０に面する側の面）の外縁に沿って、弾力性を有するパッキン２２が取り付けられており、ドア２０の閉状態時には、このパッキン２２がドア２０とキャビネット１０との間で弾性変形した状態でドア２０とキャビネット１０との間の間隙を完全に塞ぎ、これにより内部空間１３の気密性が確保される。さらに、ドア２０の４つの辺のうち、ドア軸が設けられた上下に延在する辺と対向する辺には、図１に示すように、３つのラッチ部材２３が上下方向に間隔をあけて設けられており、キャビネット１０の前面においてこのラッチ部材２３のそれぞれと対応する箇所にはラッチ受け２４が設けられている。ドア２０の閉状態時は、ドア２０をキャビネット１０側へ押し付けた状態で、これらラッチ部材２３とラッチ受け２４が係合され、これにより、ドア２０の閉状態の間はパッキン２２がドア２０に押し付けられて弾性変形した状態が保たれ、ドア２０とキャビネット１０との間の間隙が塞がれ、内部空間１３の機密性が確保される。
【００１３】
このドア２０の正面略中央には、図１に示すように、リモートコントローラ３０が設けられている。このリモートコントローラ３０は、現在のキャビネット１０の内部空間１３の温度や、設定温度等の各種情報を表示するための表示部３１と、電子機器冷却装置１の運転の開始／停止の指示や、設定温度の変更指示、後述するヘリウムの充填の開始指示等の各種指示を行うための操作部３２とを備えている。
このリモートコントローラ３０には、図示は省略するが、電子機器冷却装置１の各部を制御するための制御回路を備える制御部が接続されている。この制御部は、キャビネット１０に設けられた温度センサを介して、キャビネット１０の現在の温度を検出し表示部３１に表示したり、また、操作部３２の操作を検出し、この操作に応じた制御信号を電子機器冷却装置１の各部に送信し、その作動を制御したりする。
【００１４】
また、ドア２０、及び、キャビネット１０を構成する各壁部は、図２の断面図に示すように（左壁部１１ｂ及び右壁部１１ｃは、図２においては不図示）、内部に空洞が形成された面材を備えており、この面材の内部の空洞に断熱材３５が充填されている。この断熱材３５により、ドア２０の閉状態時には、キャビネット１０の内部空間１３と、キャビネット１０の外部とが熱的に遮断され、キャビネット１０の外部の温度によって内部空間１３の温度が影響を受けることが防止される。
【００１５】
ところで、上述したように電子機器冷却装置１は、キャビネット１０に収納した電子機器２を冷却する装置であり、本実施形態では、キャビネット１０の内部空間１３に蒸発器３６ａ，３６ｂ（以下、蒸発器３６ａと蒸発器３６ｂとを特に区別しない場合は、符号３６を付す）を設け、この蒸発器３６ａ，３６ｂによって電子機器２が発する熱を冷却することにより、電子機器２を冷却している。ここで、本実施形態では、電子機器冷却装置１が以下の構成を有することにより、電子機器２の冷却の効率化を実現している。
以下、本実施形態に係る電子機器冷却装置１の電子機器２の冷却構造、及び、電子機器２を冷却する際の動作について順に詳述する。
【００１６】
図１に示すように、キャビネット１０の内部空間１３に設けられた棚板１６ａ，１６ｂのそれぞれには、棚板１６ａ，１６ｂの全面に亘って上下に貫通した通気孔３８が多数形成されており、これにより内部空間１３内を上下方向に移動する気体の通気性が確保されている。そして、この棚板１６ａ，１６ｂのそれぞれには、連結部３９ａ，３９ｂを介して、蒸発器３６ａ，３６ｂがねじ止めによって固定されている。この蒸発器３６は、例えば、ロールボンド製法による板形状の蒸発器（熱交換器）や、互いに平行に配置されたフィンの間にチューブを通したクロスフィンチューブ形の蒸発器（熱交換器）が適用されるものであり、室外機３７に設けられたアキュムレータ、圧縮機、オイルセパレータ、凝縮器、膨張弁、レシーバタンクと、キャビネット１０内に設けられた膨張弁（いずれも不図示）とが冷媒配管を介して順次接続されており、これらの機器によって冷凍サイクルが形成されている。この冷凍サイクルには冷媒が加圧封入されており、圧縮機の稼動に応じて冷媒が冷凍サイクルを巡回し、これに伴いこの蒸発器３６ａ，３６ｂが周囲の空気を冷却する構成となっている。
【００１７】
このように、本実施形態では、通気孔３８が形成された棚板１６の下面に蒸発器３６が取り付けられるため、以下の効果を得ることができる。すなわち、被冷却物たる電子機器２と、冷却物たる蒸発器３６ａ，３６ｂとの物理的な距離が近くなり、電子機器２の冷却効率の向上を図ることができる。また、図１に示すように、蒸発器３６ａ，３６ｂが、キャビネット１０に収納された複数の電子機器２の上下方向における隙間に介在し、これら電子機器２を冷却する状態となる。すなわち、蒸発器３６ａが床板１５に載置された電子機器２と棚板１６ａに載置された電子機器２との間に介在しこれら電子機器２を冷却すると共に、蒸発器３６ｂが棚板１６ａに載置された電子機器２と棚板１６ｂに載置された電子機器２との間に介在しこれら電子機器２を冷却する状態となる。このように、１台の蒸発器３６が複数の電子機器２に近接し、これら電子機器２を冷却するため、蒸発器３６を増設することなく、効率よく電子機器２を冷却することができる。
また、それぞれの棚板１６には、多数の通気孔３８が形成されているため、１つの棚板１６の下面に取り付けられた蒸発器３６とこの棚板１６に載置された電子機器２との間における気体を媒介とした熱交換の効率性の向上が図られる。特に、本実施形態では、キャビネット１０の内部空間１３内に熱伝導率の高い気体を充満しているため、電子機器２と蒸発器３６との間の熱交換の効率性の大幅な向上が図られているが、これについては後述する。
【００１８】
さらに、本実施形態の電子機器冷却装置１は、電子機器２の冷却効率を向上するため、ドア２０によって内部空間１３を密閉した状態で、空気よりも熱伝導率の高い気体を内部空間１３に充填可能に構成されると共に、この充填した気体を内部空間１３において攪拌可能に構成されており、この内部空間１３に充填した熱伝導率の高い気体を媒介として電子機器２と蒸発器３６との間で熱交換を行っている。
具体的には、電子機器冷却装置１は、図１及び図２に示すように、空気よりも熱伝導率の高い気体であるヘリウムを、内部空間１３に充填するためのヘリウム充填手段４０を備えている。このヘリウム充填手段４０は、配管４１ａを介して直列に接続された開閉弁４２ａ及びヘリウムボンベ４３と、配管４１ｂを介して直列に接続された開閉弁４２ｂ及び真空ポンプ４４と、を備えている。このヘリウム充填手段４０によって、キャビネット１０の内部空間１３にヘリウムを充填する際は、まず、ドア２０を閉状態とし、キャビネット１０の内部空間１３を密閉する。そして、開閉弁４２ａを閉状態とし、開閉弁４２ｂを開状態とした後、真空ポンプ４４を作動させる。これにより、内部空間１３内に存在する空気を配管４１ｂを介して抜き取り、内部空間１３を真空に近い状態にする。その後、開いていた開閉弁４２ｂを閉状態とすると共に、閉じていた開閉弁４２ａを開状態とし、ヘリウムボンベ４３に収容されているヘリウムを配管４１ａを介して内部空間１３に充填する。
【００１９】
ここで、本実施形態では、内部空間１３に充填する気体として、ヘリウムを採用している。これは、発明者らの実験によれば、空気の熱伝導率が「０．０２４Ｗ／ｍ・Ｋ」であるのに対し、ヘリウムの熱伝導率が「０．１５２Ｗ／ｍ・Ｋ」であり、空気と比較してヘリウムの熱伝導率が非常に高く、電子機器２が発する熱を吸収し蒸発器３６まで運ぶ気体として好適だからである。特に、ヘリウムは化学的に安定しているため、人体に対して無害であり、電子機器２をメンテナンスする作業者等に対する悪影響を排除することができる。
【００２０】
また、図２に示すように、裏壁部１１ｄには、複数のファン４５が設けられている。このファン４５は、内部空間１３がドア２０によって密閉された状態において、内部空間１３内に存在する気体を攪拌するためのものであり、裏壁部１１ｄにおいて棚板１６ａ，１６ｂで区切られた空間に１台ずつ設けられている。このファン４５が作動すると、内部空間１３内において気流が生じ、内部空間１３内に存在する気体が攪拌され、これにより、電子機器２から発せられた熱を含む気体が蒸発器３６によって冷却されると共に、蒸発器３６によって冷却された空気が電子機器２に移動し、電子機器２を冷却する構成となっている。
【００２１】
本実施形態の電子機器冷却装置１は、このように、ヘリウム充填手段４０によってヘリウムを内部空間１３に充填可能に構成されると共に、この充填した気体を内部空間１３において攪拌可能に構成されているため、以下の効果を得ることができる。すなわち、密閉された内部空間１３にヘリウムを充填した状態で電子機器２の冷却が行われるため、熱伝導率の高いヘリウムを媒介として電子機器２と蒸発器３６との間で熱交換が行われ、これにより、空気を媒介とする場合と比較して、効率のよい電子機器２の冷却を行うことができる。さらに、内部空間１３内に複数のファン４５が設けられ、これらファン４５によって充填されたヘリウムが攪拌されるため、電子機器２の発する熱を含むヘリウムや、蒸発器３６によって冷却されたヘリウムが、一箇所に留まることなく内部空間１３を循環する。これにより、電子機器２が発する熱を吸収したヘリウムは、蒸発器３６によって冷却され、この冷却によって冷めたヘリウムが、電子機器２を再び冷却するため、効率のよい電子機器の冷却を実現することができる。
【００２２】
次いで、本実施形態に係る電子機器冷却装置１の動作について説明する。なお、説明の便宜のため、動作の開始時においては、キャビネット１０の内部空間１３に電子機器２が収納されておらず、また電子機器冷却装置１が稼動していないものとする。
まず、作業者は、サーバやネットワーク機器等の冷却対象たる電子機器２を床板１５や棚板１６ａ，１６ｂに載置することにより、これら電子機器２をキャビネット１０の内部空間１３に収納する。本実施形態では、棚板１６が上下方向に間隔をあけて複数設けられているため、複数の電子機器２を内部空間１３内に効率よく配置できると共に、内部空間１３のスペースを有効に活用することができる。
次いで作業者は、ドア２０を閉状態とした後、ラッチ部材２３とラッチ受け２４とを係合することにより、ドア２０によって開口部１２を閉塞すると共に、内部空間１３を密閉する。この際、上述したように、ドア２０の裏面２１のパッキン２２と、ラッチ部材２３及びラッチ受け２４とにより、内部空間１３は、完全に密閉される。
【００２３】
ドア２０を閉状態とした後、作業者は、リモートコントローラ３０の操作部３２を操作して、ヘリウム充填作業を開始する。この操作を検出した制御部は、開閉弁４２ａを閉状態のまま維持するとともに、開閉弁４２ｂを開状態とし、真空ポンプ４４を作動させ、内部空間１３を真空に近い状態とする。そして制御部は、開閉弁４２ｂを閉状態とすると共に、開閉弁４２ａを開状態とし、ヘリウムボンベ４３のヘリウムを内部空間１３に充填する。
ヘリウムを内部空間１３に充填した後、作業者は、リモートコントローラ３０の操作部３２を操作して、電子機器２の冷却を開始する旨の指示を行う。この指示を検出した制御部は、圧縮機の作動を開始し、蒸発器３６による内部空間１３の冷却を開始すると共に、ファン４５を作動し、内部空間１３に充填されたヘリウムを拡散する。
ここで、本実施形態では、上述したように、キャビネット１０を構成する各壁部の面材の内部の空洞に断熱材３５が充填されており、キャビネット１０の内部空間１３と、キャビネット１０の外部とが熱的に遮断されているため、キャビネット１０の内部空間１３のヘリウムが、キャビネット１０の外部からの熱によって暖められることが防止される。このため、蒸発器３６の省力化を図ることができ、コスト削減を実現することができる。
【００２４】
次いで、キャビネット１０に収納した電子機器２のメンテナンス時の動作について説明する。
作業者は、メンテナンスや修理のため、電子機器２にアクセスする必要が生じた際は、ラッチ部材２３とラッチ受け２４との係合を解除し、ドア２０を開状態とする。これにより、電子機器２へアクセス可能となり、電子機器２のメンテナンスや修理を行うことができるようになる。その際、キャビネット１０の内部空間１３に充填されているヘリウムがドア２０から流出することになるが、上述したようにヘリウムは化学的に非常に安定しているため、作業者に害を及ぼすことはない。電子機器２のメンテナンスや修理が終わった後、作業者は、上述した手順にて、キャビネット１０の内部空間１３へのヘリウムの充填と、電子機器２の冷却の開始を行う。
【００２５】
以上説明したように、本実施の形態の電子機器冷却装置１は、ヘリウム充填手段４０によってヘリウムを内部空間１３に充填可能に構成されると共に、この充填した気体を内部空間１３において攪拌可能に構成されているため、以下の効果を得ることができる。すなわち、密閉された内部空間１３にヘリウムを充填した状態で電子機器２の冷却が行われるため、熱伝導率の高いヘリウムを媒介として電子機器２と蒸発器３６との間で熱交換が行われ、これにより、空気を媒介とする場合と比較して、効率のよい電子機器２の冷却を行うことができる。さらに、内部空間１３内に複数のファン４５が設けられ、これらファン４５によって充填されたヘリウムが攪拌されるため、電子機器２の発する熱を含むヘリウムや、蒸発器３６によって冷却されたヘリウムが、一箇所に留まることなく内部空間１３を循環する。これにより、電子機器２が発する熱を吸収したヘリウムは、蒸発器３６によって冷却され、この冷却によって冷めたヘリウムが、電子機器２を再び冷却するため、効率のよい電子機器の冷却を実現することができる。
また、本実施形態では、通気孔３８が形成された棚板１６の下面に蒸発器３６が取り付けられるため、以下の効果を得ることができる。すなわち、被冷却物たる電子機器２と、冷却物たる蒸発器３６ａ，３６ｂとの物理的な距離が近くなり、電子機器２の冷却効率の向上を図ることができる。また、図１に示すように、蒸発器３６ａ，３６ｂが、キャビネット１０に収納された複数の電子機器２の上下方向における隙間に介在し、これら電子機器２を冷却する状態となる。すなわち、蒸発器３６ａが床板１５に載置された電子機器２と棚板１６ａに載置された電子機器２との間に介在しこれら電子機器２を冷却すると共に、蒸発器３６ｂが棚板１６ａに載置された電子機器２と棚板１６ｂに載置された電子機器２との間に介在しこれら電子機器２を冷却する状態となる。このように、１台の蒸発器３６が複数の電子機器２に近接し、これら電子機器２を冷却するため、蒸発器３６を増設することなく、効率よく電子機器２を冷却することができる。
【００２６】
また、本実施形態では、キャビネット１０を構成する各壁部の面材の内部の空洞に断熱材３５が充填されており、キャビネット１０の内部空間１３と、キャビネット１０の外部とが熱的に遮断されているため、キャビネット１０の内部空間１３のヘリウムが、キャビネット１０の外部からの熱によって暖められることが防止される。このため、蒸発器３６の省力化を図ることができ、コスト削減を実現することができる。
【００２７】
＜第２実施形態＞
次いで、第２実施形態について、図３を用いて説明する。
本実施形態に係る電子機器冷却装置１は、電子機器の中でも、特に、冷却用のファン５０を自身の機器内に備え、機器内の温度が所定温度を超えるとこの冷却用ファン５０を駆動し、機器内に外気を導入して聞き背面から排出する強制冷却機能を備えた電子機器を冷却するための装置である。
本実施形態に係る電子機器冷却装置１は、図３に示すように、ファン４５を備えておらず、電子機器２の冷却用ファン５０によって電子機器２から排出された空気によってキャビネット１０の内部空間１３内のヘリウムを攪拌し、これによりヘリウムを媒介として、電子機器２と蒸発器３６との間で熱交換を行う構成となっている。
この構成によれば、第１実施形態に係る電子機器冷却装置１と同様の効果を得ることができると共に、以下の効果を得ることができる。すなわち、電子機器冷却装置１にファン４５を設ける必要が無いため、ファン４５の分のコストを削減することができる。さらに、ファン４５を設ける必要が無いため、第１実施形態においてファン４５が設置されていた箇所に、電子機器２を置くことができ、キャビネット１０の内部空間１３のスペースの有効活用を図ることができる。
【００２８】
＜第３実施形態＞
次いで、第３実施形態について、図４を用いて説明する。
本実施形態に係る電子機器冷却装置１は、図４に示すように、蒸発器３６ｃ，３６ｄが棚板１６ａ，１６ｂの下面ではなく、裏壁部１１ｄに取り付けられている点で、第１実施形態に係る電子機器冷却装置１と異なっている。
この構成によれば、棚板１６に蒸発器３６が取り付けられていないため、棚板１６の機動性が増し、棚板１６の位置変更や、棚板の増設が容易となる。さらに、蒸発器３６ｃは、棚板１６ａを貫通した状態で設けられており、図４に示すように、床板１５に載置された電子機器２と、棚板１６ａに載置された電子機器２とに近接した状態でこれら電子機器２を冷却することができ、電子機器２の冷却効率を上昇することができる。同様に、蒸発器３６ｄは、棚板１６ｂを貫通した状態で設けられており、図４に示すように、棚板１６ａに載置された電子機器２と、棚板１６ｂに載置された電子機器２とに近接した状態でこれら電子機器２を冷却することができ、電子機器２の冷却効率を上昇することができる。
【００２９】
なお、上述した実施の形態は、あくまでも本発明の一態様を示すものであり、本発明の範囲内で任意に変形および応用が可能である。
例えば、本実施形態の電子機器冷却装置１は、キャビネット１０の内部空間１３にヘリウムが充填されていたが、内部空間１３に充填される気体は、ヘリウムに限らず、他の熱伝導率の高い気体を充填する構成であってもよい。その際、気体のもつ有害性等の性質に考慮することはもちろんのことである。
また、内部空間１３に充填されるものは、気体に限らず熱伝導率のよい液体であってもよい。この構成であっても、電子機器２の効率のよい冷却を実現することができる。
【００３０】
また、上述した実施形態では、蒸発器３６は、室外機３７を備え、この室外機３７に設けられた圧縮機や凝縮器等の機器とされ、これら機器によって冷凍サイクルを形成していたが、冷凍サイクルを形成するために必要な機器を例えばキャビネット１０の裏側に設けることにより、室外機３７を備えない構成にしてもよい。この構成によれば、室外機３７へ接続された冷媒配管が必要なくなると共に、室外機３７を考慮することなくコンピュータルームに電子機器冷却装置１を設置することができるようになり、電子機器冷却装置１の機動性の向上及び設置場所の自由度の向上を図ることができる。
また、上述した実施形態では、キャビネット１０の内部空間１３にヘリウムを充填した後、電子機器２のメンテナンス等のため、ドア２０を開状態とする必要が生じた際は、充填したヘリウムをキャビネット１０の外部へ放出する構成であったが、例えば、ポンプとボンベとによって、キャビネット１０の内部空間１３に充填したヘリウムを回収可能な手段を設け、メンテナンスの際には、ドア２０を開状態とする前にこの回収手段によってヘリウムを回収する構成としてもよい。この構成によれば、ヘリウムを能率的に使用することができ、コストの削減を図ることができる。
【図面の簡単な説明】
【００３１】
【図１】第１実施形態に係る電子機器冷却装置の斜視図である。
【図２】電子機器冷却装置の断面図である。
【図３】第２実施形態に係る電子機器冷却装置の断面図である。
【図４】第３実施形態に係る電子機器冷却装置の断面図である。
【符号の説明】
【００３２】
１  電子機器冷却装置
２  電子機器
１０  キャビネット
１１ａ  上壁部
１１ｂ  左壁部
１１ｃ  右壁部
１１ｄ  裏壁部
１１ｅ  下壁部
１２  開口部
１３  内部空間（内壁部）
１６ａ，１６ｂ  棚板
２０  ドア
３５  断熱材
３６，３６ａ，３６ｂ，３６ｃ，３６ｄ  蒸発器
４０  ヘリウム充填手段
４５  ファン
５０  冷却用ファン
【図１】
2009135262.tif 000003
【図２】
2009135262.tif 000004
【図３】
2009135262.tif 000005
【図４】
2009135262.tif 000006